(57)【要約】【課題】グループ設定時の誤設定を抑えることができ、作業性に優れていること。【解決手段】照明制御システム１は複数の照明装置２とリモコン３と１乃至複数のコントローラ４（ＣＯＮ４）を備える。照明装置２は照明負荷２０と点灯回路２１と制御部２９とリモコン３のトリガー信号を受信する受信部２６とグループ識別子（ＧＰ）を記憶する記憶部２８を備える。ＣＯＮ４は操作部４０、信号線６を通じ照明装置２と通信可能な通信部４１、自己のＧＰを記憶する記憶部４２、及び制御部４３を備える。操作部４０は制御部２９の設定モードへの切替の操作入力を受付ける。制御部４３は前記受付により設定信号を生成し照明装置２へ送信させる。設定信号を受信の制御部２９は設定モードへ切り替わり、トリガー信号の受信で設定信号を送信のＣＯＮ４が属するＧＰをＣＯＮ４へ要求する。制御部２９は送信される該ＧＰを自己のものとして記憶部２８に記憶する。【選択図】図１
2011023306.tif 000002
【特許請求の範囲】
【請求項１】
照明負荷と、照明負荷を点灯させる点灯回路と、点灯回路を制御する制御部と、から構
成される複数の照明装置、並びに信号線を通じて各照明装置と互いに通信を可能とする通
信手段を有した１乃至複数のコントローラを備え、複数の照明装置には各々グループ識別
子が設定されて同一のグループ識別子を有する照明装置を１つのグループとし、コントロ
ーラは、照明装置をグループ単位で調光制御する照明制御システムにおいて、
照明装置にトリガー信号を発信するためのトリガー装置を備え、
コントローラは、自己が属するグループのグループ識別子を記憶する記憶手段と、各照
明装置の制御部の動作モードを、点灯回路を制御する通常モードからグループ識別子を設
定する設定モードへと切り替えるための操作入力を受け付ける操作入力手段と、操作入力
手段で操作入力が受け付けられたときに設定信号を生成するとともに生成された設定信号
を通信手段から各照明装置へ送信させる制御手段と、を備え、
照明装置は、トリガー装置からのトリガー信号を受信する受信部と、グループ識別子を
記憶する記憶部と、を備え、
照明装置の制御部は、コントローラより設定信号を受信すると通常モードから設定モー
ドに切り替えられ、設定モード中にトリガー信号を受信すると設定信号を送信したコント
ローラに対してグループ識別子の情報を要求し、前記要求に応じて前記コントローラより
送信されてくる前記コントローラの属するグループのグループ識別子を自己が属するグル
ープのグループ識別子として記憶部に記憶することを特徴とする照明制御システム。
【請求項２】
少なくとも２つ以上のコントローラを備え、コントローラは、信号線を通じて他のコン
トローラと互いに通信可能に接続され、
コントローラの制御手段は、操作入力手段で設定モードへの切り替えの操作入力が受け
付けられたときに通信手段より他のコントローラに対して使用済みのグループ識別子を問
い合わせて、予め用意されている複数のグループ識別子のうち他のコントローラに使用さ
れていないグループ識別子の中から任意の１つを選択し、自己が属するグループのグルー
プ識別子として記憶手段に記憶することを特徴とする請求項１記載の照明制御システム。
【請求項３】
コントローラは、照明装置の調光率を変更するための操作入力を受け付ける入力受付手
段を備え、
コントローラの制御手段は、照明装置の制御部が通常モードで動作しているとき、入力
受付手段で操作入力が受け付けられると調光制御信号を生成するとともに生成された調光
制御信号を通信手段から各照明装置へ送信し、
コントローラと同一のグループに属する照明装置の制御部のみが、コントローラから受
信する調光制御信号に応じた調光率で照明負荷を点灯させることを特徴とする請求項１ま
たは２記載の照明制御システム。
【発明の詳細な説明】
【技術分野】
【０００１】
本発明は、複数の照明装置をグループ単位で点灯制御する照明制御システムに関するも
のである。
【背景技術】
【０００２】
従来より、オフィスビル内や公共施設内など比較的広い空間の天井面に設置される複数
の照明装置に対してグループ識別子を設定し、同一のグループ識別子を有する照明装置を
１つのグループとし、照明装置をグループ単位で調光制御する照明装置システムが種々提
供されている（例えば、特許文献１参照）。
【０００３】
また、この種の照明制御システムの一例として、図１３及び１４に示すようなものもあ
る。この照明制御システム９０は、複数の照明装置９１（図１３中では９１Ａ〜９１Ｈの
８個を図示）並びに信号線９３，９４を通じて各照明装置９１と互いに通信可能に接続さ
れるコントローラ９２を備える。照明装置９１Ａ〜９１Ｈは、図示しない照明負荷、照明
負荷を点灯させる点灯回路、点灯回路を制御する制御部、並びにＲＳ４８５等に準拠した
２線式シリアル通信回路で構成される通信部を備える。
【０００４】
照明装置９１Ａ，９１Ｈには、図１３に示すように、周囲の人体を感知する人感センサ
９５、及び周囲の照度（明るさ）を検出する明るさセンサ９６が各々取り付けられ、信号
線９７を通じてコントローラ９２と互いに通信可能に接続される。また、照明装置９１Ａ
〜９１Ｈが配設される空間の壁面には、照明装置９１Ａ〜９１Ｈの調光率を変更（点灯・
消灯も含む）するための操作入力を受け付ける入力受付手段を備えたスイッチＳＷ１，Ｓ
Ｗ２が設置されており、人感センサ９５や明るさセンサ９６と同様に信号線９７を通じて
コントローラ９２と通信可能に接続される。
【０００５】
コントローラ９２は、図１４に示すように、記憶部９２ａ、通信部Ｇ、及び制御部９２
ｂを備える。記憶部９２ａは、人感センサ９５や、明るさセンサ９６、スイッチＳＷ１，
ＳＷ２が持つ固有のアドレス情報と、予め用意される複数のグループ識別子とを対応付け
した情報を記憶する。通信部Ｇは、照明装置９１との通信を可能とする前記複数のグルー
プ識別子ごとに設けられた複数の通信部Ｇ１，Ｇ２，・・・と、センサ９５，９６及びス
イッチＳＷ１，ＳＷ２との通信を可能とする通信部Ｇ０とから構成される（図中では通信
部Ｇ０，Ｇ１，Ｇ２の３つのみ図示）。尚、照明装置９１Ａ〜９１Ｄは、各々同一のグル
ープに属するように設定するために信号線９３を通じて通信部Ｇ１に接続され、また、照
明装置９１Ｅ〜９１Ｈは、各々同一のグループに属するように設定するために信号線９４
を通じて通信部Ｇ２に接続されている。
【０００６】
制御部９２ｂは、信号線９７を通じて受信するセンサ９５，９６の検出結果、及びスイ
ッチＳＷ１，ＳＷ２の操作結果に応じて調光制御信号を生成し、記憶部９２ａを参照して
前記結果の発信元のアドレス情報がどのグループ識別子と対応付けされているか判断し、
前記グループ識別子と対応する通信部Ｇを通じて調光制御信号を照明装置２へ送信する。
【０００７】
但し、照明制御システム９０は、人感センサ９５や、明るさセンサ９６、スイッチＳＷ
１，ＳＷ２が持つ固有のアドレス情報と、複数のグループ識別子とを対応付けした情報を
予め設定する必要がある。ここで、センサ９５，９６及びスイッチＳＷ１，ＳＷ２の図示
しない器体には各種操作釦が設けられており、設定者は、先ず前記操作釦を通じて各々自
己のアドレス情報を設定する。すると、コントローラ９２は、通信部Ｇ０を通じてセンサ
９５，９６及びスイッチＳＷ１，ＳＷ２に各々設定されたアドレス情報を自動的に取得す
る。また、コントローラ９２の図示しない器体前面には、前記アドレス情報とグループ識
別子との対応付けを行うための各種操作釦が設けられている。そして、設定者は、例えば
通信部Ｇ１〜Ｇ１０と各々対応したグループ識別子：「１〜１０」に、センサ９５，９６
やスイッチＳＷ１，ＳＷ２のアドレス情報を操作釦の操作で結び付けることにより設定す
る。
【０００８】
以下、上述した照明制御システム９０の動作について簡単に説明する。例えば、人感セ
ンサ９５の感知範囲内に人の存在がなく、同一のグループに属する照明装置９１Ａ〜９１
Ｄは全て消灯しているとする。ここで、人感センサ９５が人体を検知するとその検知結果
が信号線９７を通じてコントローラ９２の通信部Ｇ０に送信される。そして、コントロー
ラ９２の制御部９２ｂは、調光制御信号を生成するとともに、記憶部９２ａを参照して人
感センサ９５のアドレス情報がどのグループ識別子に対応付けされているか判断する。例
えば、人感センサ９５がグループ識別子：「１」と対応付けされていたとすると、コント
ローラ９２の制御部９２ｂは、調光制御信号を通信部Ｇ１より照明装置９１Ａ〜９１Ｄへ
送信させる。同一のグループに属する照明装置９１Ａ〜９１Ｄの各制御部は、受信した調
光制御信号を基にして例えば調光率１００％で照明負荷を点灯するように点灯回路を制御
する。
【０００９】
また、明るさセンサ９６で検出される照度が、窓から入射される外光によって予め設定
される目標照度よりも高くなると、その検出結果がコントローラ９２の通信部Ｇ０に送信
される。例えば、明るさセンサ９６がグループ識別子：「２」と対応付けされていたとす
ると、検出結果に応じて生成される調光制御信号がコントローラ９２の通信部Ｇ２より明
るさセンサ９６と同一のグループに属する照明装置９１Ｅ〜９１Ｈへ送信されて、各照明
負荷は現在より低い調光率で点灯するように制御される。
【００１０】
ところで、上述の照明制御システム９０は、施工前から同一のグループに属する照明装
置９１Ａ〜９１Ｄを通信部Ｇ１に接続し、また、同一のグループに属する照明装置９１Ｅ
〜９１Ｈを通信部Ｇ２に接続することを予め決めておく必要があり、施工時にはどの照明
装置９１がどのグループに属するか意識しながら照明装置９１の設置作業や、信号線の配
線作業を行わなくてはならず作業性が悪いという問題があった。また、施工後に照明装置
９１が属するグループの変更を行い難く使い勝手が悪いという問題もあった。
【００１１】
これに対して、コントローラ９２の通信部Ｇを通信部Ｇ０の１つのみとして、自己のア
ドレス情報を記憶する記憶部（図示せず）を新たに備えた照明装置９１を、センサ９５，
９６及びスイッチＳＷ１，ＳＷ２と同じ信号線９７を通じて通信部Ｇ０に接続する。そし
て、施工後に設定者が、例えばリモコン（図示せず）の操作釦を通じてアドレス情報を含
んだ無線信号を送信することで、全ての照明装置９１に１つずつ固有のアドレス情報を記
憶させる。更に、照明装置９１のアドレス情報とグループ識別子と対応付けの設定を、コ
ントローラ９２の器体の操作釦または前記リモコンの操作釦の操作を通じて行う。
【００１２】
この様にすれば、施工前からどの照明装置９１がどのグループに属してどの通信部Ｇに
接続するか決めておく必要がなく、施工時にグループを意識しながら照明装置９１の設置
作業や、信号線の配線作業を行わなくてもよくなり、作業性を向上することができる。ま
た、前記アドレス情報とグループ識別子と対応付けの設定を変更するだけで、照明装置９
１が属するグループの変更を容易に行うことができ使い勝手も良くすることができる。
【先行技術文献】
【特許文献】
【００１３】
【特許文献１】特開２００２−２９９０７１号公報
【発明の概要】
【発明が解決しようとする課題】
【００１４】
しかしながら、上述した従来の照明制御システム９０は、施工後において、照明装置９
１や、センサ９５，９６、スイッチＳＷ１，ＳＷ２の自己のアドレス情報の設定、及び前
記アドレス情報とグループ識別子と対応付けの設定を行う際に、設定者は、前記アドレス
情報やグループ識別子を意識しながら設定作業する必要があり作業性が悪いという問題が
あった。
【００１５】
この作業性の悪さは、照明装置９１の設置数が１０台程度の少数であれば大きな問題と
ならないものの、設置数が１００台や２００台といった多数なると前記設定作業が大変困
難なものとなり大きな問題となる。すなわち、照明装置９１の設置数が多いほど、設定者
がグループ識別子やアドレス情報の誤った設定を行い易くなり、また、設定作業中にグル
ープ識別子やアドレス情報を忘れて再度確認する作業も増加する。
【００１６】
本発明は上記事由に鑑みて為されたものであり、その目的は、グループ設定時の誤設定
を抑えることができ、且つ作業性に優れた照明制御システムを提供することにある。
【課題を解決するための手段】
【００１７】
請求項１の発明は、上記目的を達成するために、照明負荷と、照明負荷を点灯させる点
灯回路と、点灯回路を制御する制御部と、から構成される複数の照明装置、並びに信号線
を通じて各照明装置と互いに通信を可能とする通信手段を有した１乃至複数のコントロー
ラを備え、複数の照明装置には各々グループ識別子が設定されて同一のグループ識別子を
有する照明装置を１つのグループとし、コントローラは、照明装置をグループ単位で調光
制御する照明制御システムにおいて、照明装置にトリガー信号を発信するためのトリガー
装置を備え、コントローラは、自己が属するグループのグループ識別子を記憶する記憶手
段と、各照明装置の制御部の動作モードを、点灯回路を制御する通常モードからグループ
識別子を設定する設定モードへと切り替えるための操作入力を受け付ける操作入力手段と
、操作入力手段で操作入力が受け付けられたときに設定信号を生成するとともに生成され
た設定信号を通信手段から各照明装置へ送信させる制御手段と、を備え、照明装置は、ト
リガー装置からのトリガー信号を受信する受信部と、グループ識別子を記憶する記憶部と
、を備え、照明装置の制御部は、コントローラより設定信号を受信すると通常モードから
設定モードに切り替えられ、設定モード中にトリガー信号を受信すると設定信号を送信し
たコントローラに対してグループ識別子の情報を要求し、前記要求に応じて前記コントロ
ーラより送信されてくる前記コントローラの属するグループのグループ識別子を自己が属
するグループのグループ識別子として記憶部に記憶することを特徴とする。
【００１８】
この発明によれば、コントローラを通じて照明装置の制御部の動作モードを設定モード
へと切り替えて、トリガー装置を用いてトリガー信号を照明装置へ送信するだけで、コン
トローラの属するグループのグループ識別子がトリガー信号を受信した照明装置に設定さ
れるので、設定者は、照明装置の固有のアドレス情報やグループ識別子を意識することな
くグループの設定を行うことができる。従って、グループ設定時の誤設定を抑えることが
でき、且つ作業性に優れている。
【００１９】
請求項２の発明は、請求項１の発明において、少なくとも２つ以上のコントローラを備
え、コントローラは、信号線を通じて他のコントローラと互いに通信可能に接続され、コ
ントローラの制御手段は、操作入力手段で設定モードへの切り替えの操作入力が受け付け
られたときに通信手段より他のコントローラに対して使用済みのグループ識別子を問い合
わせて、予め用意されている複数のグループ識別子のうち他のコントローラに使用されて
いないグループ識別子の中から任意の１つを選択し、自己が属するグループのグループ識
別子として記憶手段に記憶することを特徴とする。
【００２０】
この発明によれば、設定者は、照明装置の属するグループのグループ識別子だけでなく
コントローラの属するグループのグループ識別子も意識することなくグループの設定を行
うことができる。
【００２１】
請求項３の発明は、請求項１または２の発明において、コントローラは、照明装置の調
光率を変更するための操作入力を受け付ける入力受付手段を備え、コントローラの制御手
段は、照明装置の制御部が通常モードで動作しているとき、入力受付手段で操作入力が受
け付けられると調光制御信号を生成するとともに生成された調光制御信号を通信手段から
各照明装置へ送信し、コントローラと同一のグループに属する照明装置の制御部のみが、
コントローラから受信する調光制御信号に応じた調光率で照明負荷を点灯させることを特
徴とする。                                                
【００２２】
この発明によれば、前記コントローラは、従来技術で述べたスイッチＳＷ１（またはＳ
Ｗ２）と同様に照明負荷の調光率を直接変更する機能も備えるので、部材点数を抑えるこ
とができる。
【発明の効果】
【００２３】
本発明では、グループ設定時の誤設定を抑えることができ、且つ作業性に優れていると
いう効果がある。
【図面の簡単な説明】
【００２４】
【図１】本発明の実施形態１の構成を示す概略図である。
【図２】同上におけるブロック図である。
【図３】同上におけるグループを設定するときの説明図である。
【図４】同上におけるグループを設定するときの説明図である。
【図５】同上におけるグループを設定するときの説明図である。
【図６】同上におけるグループを設定するときの説明図である。
【図７】同上におけるグループを設定するときの説明図である。
【図８】同上におけるグループを設定するときの説明図である。
【図９】同上におけるグループを設定するときの説明図である。
【図１０】本発明の実施形態２のグループを設定するときの説明図である。
【図１１】本発明の実施形態３のグループを設定するときの説明図である。
【図１２】同上におけるグループを設定するときの説明図である。
【図１３】従来の照明制御システムの一例の概略図である。
【図１４】同上におけるコントローラのブロック図である。
【発明を実施するための形態】
【００２５】
（実施形態１）
以下、本発明の実施形態１について、図１〜図９を参照して説明する。本実施形態の照
明制御システム１は、図１に示すように、複数の照明装置２（図中では２Ａ〜２Ｈの８個
を図示）と、トリガー装置たるリモコン３と、複数のコントローラ４（図１中では４Ａ，
４Ｂの２つを図示）と、照明装置２Ａ，２Ｈに搭載される２つのセンサ５とを備える。こ
こで、照明装置２Ａ〜２Ｈとコントローラ４Ａ，４Ｂとは、各々１系統の信号線６を通じ
て互いに通信可能に接続される。尚、照明装置２及びコントローラ４には、これから説明
する各部を駆動させるための電力が電源線（図示せず）を介して商用電源より供給されて
いる。
【００２６】
リモコン３は、図１及び図２に示すように、器体３ａの前面に設けられて押圧により操
作される種々の操作釦３ｂからなる操作部３０と、操作部３０の操作に基づいてトリガー
信号を生成する制御部３１と、トリガー信号を照明装置２へ無線信号として送信する送信
部３２とを備える。制御部３１は、マイクロプロセッサ等から構成され、送信部３２は、
赤外線発光ダイオード又はＲＦ電波無線モジュール等を含む無線送信回路で構成される。
【００２７】
尚、上述のトリガー信号は、リモコン３の操作者の手間を極力抑えるために、操作部３
０に対して１回の押圧操作のみで送信部３２より送信されることが望ましい。また、リモ
コン３は、トリガー信号の送信以外に、操作部３０で各照明装置２に対して直接調光率の
変更するための操作入力が受け付けられたときに調光制御信号を生成して照明装置２へ送
信する。
【００２８】
センサ５は、図２に示すように、周囲の照度を検出する照度検知部５０と、周囲の人体
を感知する人感検知部５１と、制御部５２と、通信部５３とを備えている。照度検知部５
０は、光電変換を行う受光素子を含む回路で構成される。人感検知部５１は、人体から放
射される赤外線を検知する焦電素子を含む回路で構成される。制御部５２は、マイクロプ
ロセッサ等から構成され、照度検知部５０及び人感検知部５１の検出値を電圧信号として
出力する。通信部５３は、ＲＳ４８５等に準拠した２線式シリアル通信回路で構成される
。尚、センサ５は、所謂、明るさセンサと人感センサとが一体となったものであるが、従
来技術で述べた明るさセンサ９５や人感センサ９６のように別々に照明装置２へ取り付け
られてもよい。
【００２９】
コントローラ４Ａ，４Ｂは、図１に示すように、照明装置２が設置される空間内の壁面
に取り付けられている。そして、コントローラ４Ａ，４Ｂは、図２に示すように、操作部
４０、通信部４１、記憶部４２、及び制御部４３を備える。
【００３０】
操作部４０は、図１に示すように、器体４ａの前面に配置されて、照明負荷２０の調光
率を直接変更するための操作入力を受け付ける入力受付手段たる種々の操作釦４ｂを備え
る。通信部４１は、ＲＳ４８５等に準拠した２線式シリアル通信回路で構成されており、
信号線６を通じて各照明装置２Ａ〜２Ｈ、並びに他のコントローラ４と通信する。記憶部
４２は、例えば、ＥＥＰＲＯＭやフラッシュメモリ等から構成され、自己が属するグルー
プのグループ識別子を記憶する。
【００３１】
制御部４３は、マイクロプロセッサ等から構成され、操作部４０の操作釦４ｂで照明装
置２の調光率を直接変更するための操作入力が受け付けられたときに調光制御信号を生成
するとともに、記憶部４２内の自己のグループ識別子の情報と併せて各照明装置２へ送信
する。
【００３２】
また、制御部４３は、センサ５を搭載する照明装置２からセンサ５の検出結果に応じて
演算された調光率の情報と、その照明装置２のグループ識別子の情報を受信すれば、前記
グループ識別子と記憶部４２内の自己のグループ識別子とが一致するか否か判断する。そ
して、一致していれば前記調光率に応じた調光制御信号を生成するとともに自己のグルー
プ識別子と併せて他の照明装置２へ送信し、一致しなければ受信した前記調光率の情報を
破棄する。
【００３３】
そして、本実施形態のコントローラ４の操作部４０は、上述の操作釦４ｂ以外にも、器
体４ａの側面に配置され、後述する照明装置２の制御部２９の動作モードを、通常モード
から設定モードへと切り替えるための操作入力を受け付ける操作入力手段たるスイッチ４
ｃを備える。また、本実施形態のコントローラ４の制御部４３は、このスイッチ４ｃで通
常モードから設定モードへ切り替えるための操作入力が受け付けられたときに設定信号を
生成するとともに、生成された設定信号を通信部４１から各照明装置２へ送信させる。更
に、制御部４３は、スイッチ４ｃで前記操作入力が受け付けられたときに、他のコントロ
ーラ４に対して使用済みのグループ識別子を問い合わせて、予め用意されている複数のグ
ループ識別子のうち他のコントローラ４に使用されていないグループ識別子の中から任意
の１つを選択し、自己が属するグループのグループ識別子として記憶部４２に記憶する。
尚、通常モード及び設定モードについての詳細は後述するのでここでは省略する。
【００３４】
照明装置２は、図２に示すように、照明負荷２０、照明負荷２０を点灯させる点灯回路
２１、点灯回路２１に調光信号を出力する調光信号出力部２２、接続部２３、センサ用通
信部２４、通信部２５、及び受信部２６を備える。照明負荷２０は、蛍光灯やＬＥＤ等で
構成される。接続部２３は、照明負荷２０の周辺に配置され、センサ５のオス型の接続端
子（図示せず）が挿入されるメス型の接続端子（図示せず）を有しており、センサ５を抜
き差し自在に接続する。
【００３５】
センサ用通信部２４は、センサ５の通信部５３と同種の通信回路構成を有し、接続部２
３を介してセンサ５と通信する。通信部２５は、コントローラ４の通信部４１と同種の通
信回路構成を有しており、信号線６を通じてコントローラ４Ａ，４Ｂと通信する。また、
信号線６にはこれらに合わせたシリアル通信用ケーブルが用いられる。尚、通信部２５は
信号の衝突を回避する機能を備えた制御方式（例えば、ＣＳＭＡ／ＣＡ等）を用いること
が望ましい。受信部２６は、リモコン３から受信する無線信号の種類に合わせて赤外線受
光ＩＣ又はＲＦ電波無線モジュール等を含む無線受信回路で構成されている。
【００３６】
また、照明装置２は、上記に加えて演算部２７と、記憶部２８と、制御部２９とを備え
る。演算部２７は、マイクロプロセッサ等で構成され、調光率の演算をする。記憶部２８
は、例えば、ＥＥＰＲＯＭやフラッシュメモリ等から構成され、自己が属するグループの
グループ識別子を記憶する。
【００３７】
制御部２９は、マイクロプロセッサなどで構成され、先述の通常モードと設定モードと
の２つの動作モードを有している。ここで、通常モードとは、リモコン３またはコントロ
ーラ４から受信する調光制御信号に応じて点灯回路２１を制御したり、自己の照明装置２
がセンサ５を搭載していればセンサ５から受信する検出信号に応じて演算部２７に調光率
の演算を行わせて前記調光率を基に点灯回路２１を制御したりすることで、照明負荷２０
を点灯・消灯・調光させるモードである。
【００３８】
但し、制御部２９は、コントローラ４から調光制御信号を受信したときに、記憶部２８
内に記憶される自己のグループ識別子と、前記信号の発信元のコントローラ４のグループ
識別子とが一致するか否か判断する。そして、一致していれば前記信号を基に点灯回路２
１を制御し、一致しなければ前記信号を破棄する。また、センサ５を搭載する照明装置２
の制御部２９は、センサ５から検出信号を受信したときに自己の点灯回路２１を制御する
だけでなく、コントローラ４を介して演算された調光率の情報を同一のグループに属する
他の照明装置２へも送信する。
【００３９】
一方、設定モードとは、グループ識別子を設定するための動作モードであり、コントロ
ーラ４より設定信号を受信することで通常モードから設定モードへと切り替えられる。制
御部２９は、設定モードで動作中に受信部２６を通じてリモコン３からトリガー信号を受
信すると、設定信号を送信したコントローラ４に対してグループ識別子の情報を要求する
。そして、制御部２９は、前記要求に応じてコントローラ４より送信されるコントローラ
４の属するグループのグループ識別子を自己の照明装置２が属するグループのグループ識
別子として記憶部２８に記憶する。尚、コントローラ４から終了信号を受信すると設定モ
ードから再び通常モードへと切り替えられる。
【００４０】
以下、照明制御システム１の通常モード時における動作について図１を参照しながら説
明する。尚、以下の説明内の各照明装置２及びコントローラ４には、既にグループ識別子
が設定されているものとする。すなわち、照明装置２Ａ〜２Ｄの各記憶部２８、及びコン
トローラ４Ａの記憶部４２にはグループ識別子：「１」が記憶され、照明装置２Ｅ〜２Ｈ
の各記憶部２８、及びコントローラ４Ｂの記憶部４２にはグループ識別子：「２」が記憶
される。
【００４１】
例えば、窓際近くに設置される照明装置２Ｈのセンサ５で検出された照度が、当該窓か
ら入射される外光によってセンサ５内に予め設定されている目標照度よりも高くなったと
する。すると、照明装置２Ｈの制御部２９は、周囲の照度が目標照度より低くなるように
調光率を絞らせて点灯回路２１を制御するだけでなく、補正後の調光率の情報を自己のグ
ループ識別子：「２」の情報とともにコントローラ４Ａ，４Ｂへ送信する。
【００４２】
一方、前記情報を受信したコントローラ４Ａ，４Ｂの制御部４３は、各々自己のグルー
プ識別子と照明装置２Ｈのグループ識別子とが一致するか否か判断する。コントローラ４
Ａの制御部４３は、記憶部４２内の自己のグループ識別子が「１」であるため一致しない
と判断して前記情報を破棄する。これに対して、コントローラ４Ｂの制御部４３は、記憶
部４２内の自己のグループ識別子が「２」であるため一致すると判断して、前記調光率に
応じた調光制御信号を生成するとともに、自己のグループ識別子：「２」の情報と併せて
照明装置２Ａ〜２Ｇへ送信する。
【００４３】
そして、照明装置２Ａ〜２Ｇの制御部２９は、各々自己のグループ識別子と受信したコ
ントローラ４Ｂの識別子とが一致するか否か判断する。このうち自己のグループ識別子が
「２」である照明装置２Ｅ〜２Ｇの制御部２９は、一致すると判断した上で、コントロー
ラ４Ｂより受信した調光制御信号に応じた（照明装置２Ｈと同じ）調光率で点灯回路２１
を制御する。
【００４４】
この様に通常モード時の照明制御システム１は、同一のグループ識別子を有する照明装
置２を１つのグループとし、コントローラ４を介して照明装置２をグループ単位で調光制
御する。
【００４５】
以下、照明制御システム１の設定モード時におけるグループの設定手順、及びそのとき
の動作について図３〜図９を参照しながら説明する。尚、以下の説明内の照明装置２及び
コントローラ４は、設定モードの開始時点でグループ識別子が全く設定されていないもの
とする。
【００４６】
先ず、照明装置２Ａ〜２Ｄを同じグループに設定する手順について説明する。設定者７
は、図３に示すように、コントローラ４Ａの器体４ａ側面にあるスイッチ４ｃで通常モー
ドから設定モードへ切り替えるための操作入力を行う。コントローラ４Ａの制御部４３は
、前記操作入力が受け付けられることで設定信号を生成して、通信部４１から照明装置２
Ａ〜２Ｈへ送信し、同時にコントローラ４Ｂに対して使用済みのグループ識別子を問い合
わせる。このときコントローラ４Ｂにも未だグループ識別子が設定されていないので、コ
ントローラ４Ａの制御部４３は、予め用意されているグループ識別子：「１〜１００」の
中から任意の１つを選択し（ここでは最小値である「１」を選択）、自己が属するグルー
プのグループ識別子として記憶部４２に「１」を記憶する。一方、設定信号を受信した全
ての照明装置２Ａ〜２Ｈの各制御部２９は、通常モードから設定モードへと動作モードを
切り替える。
【００４７】
そして、設定者７は、図４に示すように、リモコン３の無線信号の送波面を照明装置２
Ｄに向けながら操作部３０の操作を通じてトリガー信号（図中の点線矢印参照）を照明装
置２Ｄへ送信する。受信部２６を通じてトリガー信号を受信した照明装置２Ｄの制御部２
９は、設定モードで動作中につき、設定信号を送信したコントローラ４Ａに対してグルー
プ識別子の情報を要求する（図中の実線矢印参照）。そして、照明装置２Ｄの制御部２９
は、前記要求に応じてコントローラ４Ａより送信されるグループ識別子：「１」（図中の
破線矢印参照）を照明装置２Ｄが属するグループのグループ識別子として記憶部２８に記
憶する。
【００４８】
更に設定者７は、図５に示すように、照明装置２Ａ、２Ｂ、２Ｃに対して順にリモコン
３のトリガー信号を送信する。その結果、図６に示すように、照明装置２Ａ〜２Ｄの全て
の記憶部２８に、コントローラ４Ａの記憶部４２内に記憶されているグループ識別子と同
じ「１」が記憶される。そして、設定者７がスイッチ４ｃで設定モードから元の通常モー
ドへと切り替えるための操作入力を行うことで、コントローラ４から各照明装置２Ａ〜２
Ｈへ終了信号が送信されて、照明装置２Ａ〜２Ｄのグループ設定が完了する。
【００４９】
次に、照明装置２Ｅ〜２Ｈを同じグループに設定する手順について説明する。設定者７
が、図７に示すように、コントローラ４Ｂの器体４ａ側面にあるスイッチ４ｃで通常モー
ドから設定モードへ切り替えるための操作入力を行う。コントローラ４Ｂの制御部４３は
、前記操作入力が受け付けられることで設定信号を生成して、通信部４１から照明装置２
Ａ〜２Ｈへ送信し、同時にコントローラ４Ａに対して使用済みのグループ識別子を問い合
わせる。このときコントローラ４Ａには既にグループ識別子：「１」が設定されているの
で、コントローラ４Ｂの制御部４３は、グループ識別子：「２〜１００」の中から任意の
１つを選択し（ここでは「１」に＋１加算した「２」を選択）、自己が属するグループの
グループ識別子として記憶部４２に「２」を記憶する。一方、設定信号を受信した全ての
照明装置２Ａ〜２Ｈの各制御部２９は、通常モードから設定モードへと動作モードを切り
替える。
【００５０】
以降は、図８及び図９に示すように、上述した照明装置２Ａ〜２Ｄのグループ設定時と
同じく設定者７が照明装置２Ｅ〜２Ｈに対して１つずつリモコン３のトリガー信号を送信
することで、照明装置２Ｅ〜２Ｈの全ての記憶部２８に、コントローラ４Ｂの記憶部４２
内に記憶されているグループ識別子と同じ「２」が記憶される。そして、設定者７がスイ
ッチ４ｃで設定モードから元の通常モードへと切り替えるための操作入力を行うことで、
コントローラ４から各照明装置２Ａ〜２Ｈへ終了信号が送信されて、照明装置２Ｅ〜２Ｈ
のグループ設定が完了する。
【００５１】
以上説明した様に本実施形態の照明制御システム１は、コントローラ４を通じて照明装
置２の制御部２９の動作モードを設定モードに切り替えて、トリガー装置たるリモコン３
を用いてトリガー信号を照明装置２へ送信するだけで、コントローラ４の属するグループ
のグループ識別子がトリガー信号を受信した照明装置２に設定されるので、設定者７は、
従来技術で述べた照明制御システム９０のように照明装置２の固有のアドレス情報やグル
ープ識別子を意識しなくてもグループの設定を行うことができる。従って、グループ設定
時の誤設定を抑えることができ、且つ作業性に優れている。また、コントローラ４は、他
のコントローラ４に対して使用済みのグループ識別子を問い合わせて、自己が属するグル
ープのグループ識別子を自動的に選択して記憶するので、設定者は、照明装置２のグルー
プ識別子だけでなくコントローラ４のグループ識別子も意識することなくグループの設定
を行うことができる。
【００５２】
尚、本実施形態では、トリガー装置について照明装置２から離れた位置よりトリガー信
号たる無線信号を送信するリモコン３として説明したが、この限りでなく、トリガー装置
は、例えば照明装置２の各器体自体に配設されたものであってもよい。すなわち、前記器
体外表面に設けられた操作釦を押圧操作することでトリガー信号が送信されてもよい。
【００５３】
（実施形態２）
以下、本発明の実施形態２について、図１０を参照して説明する。尚、本実施形態は、
基本的な構成が実施形態１と共通であるので、共通の構成要素には、同一の符号を付して
説明を省略する。
【００５４】
本実施形態のコントローラ４の制御部４３は、設定モードから元の通常モードへと切り
替えるための操作入力が行われて各照明装置２Ａ〜２Ｈへ終了信号を送信するとともに、
自己と同じグループに属する照明装置２に対して、所定の時間だけ照明負荷２０を他の照
明負荷２０と異なる調光率で制御するように調光制御信号を送信する点に特徴がある。
【００５５】
例えば、照明装置２Ａ〜２Ｄがコントローラ４Ａと同じグループに属し、各記憶部２８
にはグループ識別子：「１」が記憶されていたとする。ここで、図１０に示すように、コ
ントローラ４Ｂのスイッチ４ｃを操作して設定モードに切り替えて、リモコン３のトリガ
ー信号を照明装置２Ｂ〜２Ｄへ送信して、コントローラ４Ｂと同じグループに属するよう
に変更されたとする（グループ識別子：「２」が設定）。
【００５６】
そして、設定者７がスイッチ４ｃで設定モードから元の通常モードへと切り替えるため
の操作入力を行うと、コントローラ４Ｂの制御部４３は、通信部４１を通じて各照明装置
２Ａ〜２Ｈ（図１０中では２Ａ〜２Ｄのみ図示）へ終了信号を送信させる。しかし、この
ときコントローラ４Ｂの制御部４３は終了信号だけでなく自己のグループ識別子：「２」
の情報及び調光制御信号も送信する。
【００５７】
一方、終了信号を受信した照明装置２Ａ〜２Ｈの制御部２９は、自己の記憶部２８内の
グループ識別子が受信したグループ識別子：「２」と一致するか否か判断する。ここで、
照明装置２Ａ，２Ｅ〜２Ｈの制御部２９は、グループ識別子が一致しないので元の通常モ
ードへと切り替わり、照明負荷２０を例えば調光率１００％で「点灯」させるように点灯
回路２１を制御する。これに対して、照明装置２Ｂ〜２Ｄの制御部２９は、グループ識別
子が一致するので直ぐに通常モードへと切り替わらずに、所定の時間（例えば１分間）だ
け受信した調光制御信号に基づいて照明負荷２０を「消灯」させるように点灯回路２１を
制御する。そして、所定の時間が経過すれば照明装置２Ｂ〜２Ｄの制御部２９も通常モー
ドへと切り替わり、照明装置２Ａ，２Ｅ〜２Ｈと同様に調光率１００％で「点灯」させる
ように点灯回路２１を制御する。
【００５８】
従って、本実施形態の照明制御システム１は、トリガー信号を送信してグループ識別子
を記憶させた照明装置２に対して、所定の時間だけ他の照明装置２とは異なる調光率で制
御するので、設定者７がグループの設定を終えたときに実際に記憶されるグループ識別子
の状況を視覚的に確認することができ、誤設定を防ぐことができる。
【００５９】
尚、本実施形態で照明装置２Ｂ〜２Ｄの制御部２９は、所定の時間中において、照明負
荷２０を「消灯」させるように制御しているが、この他にも調光率３０％や７０％等で「
点灯」させるように制御してもよい。
【００６０】
また、記憶されるグループ識別子の状況を上述したような照明負荷２の点灯状態から確
認する以外にも、例えばコントローラ４に液晶表示部を設けて、前記液晶表示部に表示さ
れる文字や絵を通じて記憶されるグループ識別子の状況を確認することができてもよい。
【００６１】
（実施形態３）
以下、本発明の実施形態３について、図１１及び図１２を参照して説明する。尚、本実
施形態は、基本的な構成が実施形態１と共通であるので、共通の構成要素には、同一の符
号を付して説明を省略する。
【００６２】
本実施形態の照明装置２の制御部２９は、リモコン３よりトリガー信号を受信すると照
明負荷２０をトリガー信号受信前の調光率と異なる調光率で点灯するように点灯回路２１
を制御する点に特徴がある。
【００６３】
以下、設定者７が照明装置２Ａ〜２Ｄを同じグループに設定する状況を例に挙げて説明
する。先ず、設定者７は、コントローラ４Ａのスイッチ４ｃで通常モードから設定モード
へ切り替えるための操作入力を行う。コントローラ４Ａの制御部４３は、前記操作入力が
受け付けられることで設定信号を生成して、通信部４１から照明装置２Ａ〜２Ｈへ送信し
、同時にコントローラ４Ｂに対して使用済みのグループ識別子を問い合わせて自己のグル
ープ識別子を決定する。尚、ここではコントローラ４Ａに記憶される自己のグループ識別
子を「１」として説明する。
【００６４】
一方、設定信号を受信した全ての照明装置２Ａ〜２Ｈの各制御部２９は、通常モードか
ら設定モードへと動作モードを切り替える。但し、本実施形態の照明装置２Ａ〜２Ｈの各
制御部２９は、設定モードに切り替えると同時に照明負荷２０を「消灯」させるように制
御する。そして、図１１に示すように、設定者７が照明装置２Ｄへリモコン３のトリガー
信号を送信することで、設定信号を送信したコントローラ４Ａに対してグループ識別子の
情報を要求して、その結果、照明装置２Ｄの記憶部２８にグループ識別子の「１」が記憶
される。但し、照明装置２Ｄの制御部２９は、トリガー信号の受信に応じて照明負荷２０
が例えば調光率１００％で点灯するように点灯回路２１を制御する。
【００６５】
更に設定者７は、残りの照明装置２Ａ、２Ｂ、２Ｃに対しても順にリモコン３のトリガ
ー信号を送信する。その結果、図１２に示すように、照明装置２Ａ〜２Ｄの全ての記憶部
２８にグループ識別子と同じ「１」が記憶されて、これらの照明負荷２０は調光率１００
％で点灯する。
【００６６】
従って、本実施形態の照明制御システム１は、設定者７がトリガー信号を照明装置２へ
送信する度に、照明負荷２０の点灯状態が消灯から点灯に変化するため、グループの設定
作業中にも記憶されるグループ識別子の状況を視覚的に確認することができ、誤設定を防
ぐことができる。
【００６７】
尚、上述で照明装置２Ａ〜２Ｈの各制御部２９は、動作モードを設定モードに切り替え
ると同時に照明負荷２０を「消灯」させるように制御しているが、逆に「点灯」させるよ
うに制御してもよい。その代わりにトリガー信号を受信した照明装置２の制御部２９は、
「消灯」または異なる調光率で「点灯」させるように制御する。
【符号の説明】
【００６８】
１  照明制御システム
２  照明装置
３  リモコン
４  コントローラ
６  信号線
２０  照明負荷
２１  点灯回路
２６  受信部
２８  記憶部
２９  制御部
４０  操作部
４１  通信部
４２  記憶部
４３  制御部
【図１】
2011023306.tif 000003
【図２】
2011023306.tif 000004
【図３】
2011023306.tif 000005
【図４】
2011023306.tif 000006
【図５】
2011023306.tif 000007
【図６】
2011023306.tif 000008
【図７】
2011023306.tif 000009
【図８】
2011023306.tif 000010
【図９】
2011023306.tif 000011
【図１０】
2011023306.tif 000012
【図１１】
2011023306.tif 000013
【図１２】
2011023306.tif 000014
【図１３】
2011023306.tif 000015
【図１４】
2011023306.tif 000016